(57)【要約】【課題】  培地等の内容物の輸送中などに袋内の無菌性を確実に保つことができる包装袋を提供する。【解決手段】  フィルム状シート材により形成され、袋面の一部に、湿気を通し微生物を通さないシート材１６により形成されたフィルタ部２４が設けられた密閉袋状の内袋１２の外側に、フィルム状シート材により形成された密閉袋状の外袋１４を設けて、無菌包装袋１０を構成した。【選択図】  図１
2005231697.tif 000002
【特許請求の範囲】
【請求項１】
フィルム状シート材により密閉袋状形態に形成され、袋内が無菌状態に保たれる無菌包装袋において、
袋面の一部に、湿気を通し微生物を通さないシート材により形成されたフィルタ部を設けて、密閉袋状の内袋を構成し、その内袋の外側に密閉袋状の外袋を設けたことを特徴とする無菌包装袋。
【請求項２】
前記外袋の袋面の一部に、湿気を通し微生物を通さないシート材により形成されたフィルタ部が設けられた請求項１記載の無菌包装袋。
【請求項３】
前記外袋の袋面全体がフィルム状シート材により形成された請求項１記載の無菌包装袋。
【請求項４】
前記内袋に、フィルム状シート材を引き裂いて開封するための引裂き部が形設され、前記外袋に、前記内袋の引裂き部に対応する個所およびそれ以外の個所にそれぞれフィルム状シート材を引き裂いて開封するための引裂き部が形設された請求項１ないし請求項３のいずれかに記載の無菌包装袋。
【発明の詳細な説明】
【技術分野】
【０００１】
この発明は、細菌等の微生物の培養に使用される培地などを無菌状態に保つように包装する無菌包装袋に関する。
【背景技術】
【０００２】
細菌等の微生物の培養に使用される固形培地や液体培地は、シャーレ、試験管等の容器に入れられ、包装袋内に封入されて、無菌状態に保たれたままで輸送される。この輸送の際に培地を封入する包装袋としては、例えば、合成樹脂からなるフィルム状シート材により密閉袋状形態に形成され、袋面の一部に、紙材、不織布等で形成されて通気性を有しかつ雑菌の浸入を防止することができる通気部が設けられたものが使用される（例えば、特許文献１参照。）。
【特許文献１】特開平１０−２６２６４６号公報（第３頁、図５、図６）
【発明の開示】
【発明が解決しようとする課題】
【０００３】
従来の無菌包装袋においては、輸送中にピンホールなどが発生すると、袋内の無菌性が保たれなくなって培地等の内容物が使用不能になる、といった事故が起こる可能性があった。なお、シャーレ、試験管等の容器の開口部をシールして密封すると、培地等の内容物の使用に際して、容器を開封するのに手間がかかって不便を生じる。
【０００４】
この発明は、以上のような事情に鑑みてなされたものであり、培地等の内容物の輸送中などに袋内の無菌性を確実に保つことができる無菌包装袋を提供することを目的とする。
【課題を解決するための手段】
【０００５】
請求項１に係る発明は、フィルム状シート材により密閉袋状形態に形成され、袋内が無菌状態に保たれる無菌包装袋において、袋面の一部に、湿気を通し微生物を通さないシート材により形成されたフィルタ部を設けて、密閉袋状の内袋を構成し、その内袋の外側に密閉袋状の外袋を設けたことを特徴とする。
【０００６】
請求項２に係る発明は、請求項１記載の無菌包装袋において、前記外袋の袋面の一部に、湿気を通し微生物を通さないシート材により形成されたフィルタ部が設けられたことを特徴とする。
【０００７】
請求項３に係る発明は、請求項１記載の無菌包装袋において、前記外袋の袋面全体がフィルム状シート材により形成されたことを特徴とする。
【０００８】
請求項４に係る発明は、請求項１ないし請求項３のいずれかに記載の無菌包装袋において、前記内袋に、フィルム状シート材を引き裂いて開封するための引裂き部が形設され、前記外袋に、前記内袋の引裂き部に対応する個所およびそれ以外の個所にそれぞれフィルム状シート材を引き裂いて開封するための引裂き部が形設されたことを特徴とする。
【発明の効果】
【０００９】
請求項１に係る発明の無菌包装袋においては、培地等の内容物の輸送中などに外袋にピンホールなどが発生しても、培地等の内容物が収容された内袋内の無菌性が保たれる。したがって、請求項１に係る発明の無菌包装袋を使用すると、培地等の内容物の輸送中などに袋内の無菌性を確実に保つことができ、輸送中などに内容物が不良品化してしまう、といった事故を防止することができる。また、医薬品メーカなどでは、持ち込まれる品物を、中間のクリーンルームを経て保管室に搬入する、といったことが行われるが、この無菌包装袋を使用すると、中間のクリーンルーム内で外袋を開封して内袋を取り出すようにすることにより、培地等の内容物が収容された内袋を十分な清浄度を保った状態で保管室に搬入することができる。
【００１０】
請求項２に係る発明の無菌包装袋では、内袋および外袋の両方に、湿気を通し微生物を通さないフィルタ部がそれぞれ設けられているので、輸送中などに、例えば内袋内に収容された寒天培地等の凝固性培地から多量の水分が発生しても、その水分は水蒸気となって内袋および外袋の各フィルタ部を通して外部に放散され、培地等が入れられたシャーレ等の容器に水分が多量に付着した状態になる、といったことが防止される。したがって、請求項２に係る発明の無菌包装袋を使用すると、培地等を適度な乾燥状態に保ってユーザに届けることができる。
【００１１】
請求項３に係る発明の無菌包装袋では、袋面全体がフィルム状シート材により形成された外袋を開封することにより、内袋内の湿気がフィルタ部を通して外部に放出される。したがって、請求項３に係る発明の無菌包装袋を使用すると、ユーザ側において、培地等の内容物を使用する前に、その乾燥状態を調整することができる。
【００１２】
請求項４に係る発明の無菌包装袋では、内袋の引裂き部に対応する個所に形設された外袋の引裂き部でフィルム状シート材を引き裂くことにより、外袋と内袋を同時に開封することができる。一方、外袋を、内袋の引裂き部に対応する個所以外の個所に形設された引裂き部でフィルム状シート材を引き裂くことにより、外袋だけを開封することができる。
【発明を実施するための最良の形態】
【００１３】
以下、この発明の最良の実施形態について図１ないし図５を参照しながら説明する。
図１ないし図４は、この発明の実施形態の１例を示し、図１は、内容物を収容して封入した状態の無菌包装袋の平面図であり、図２は、無菌包装袋を構成する内袋と外袋とを別々に示す平面図であり、図３は、図１のIII−III矢視断面図であり、図４は、図３の部分拡大断面図である。
【００１４】
この無菌包装袋１０は、それぞれナイロン、ポリエチレン等の合成樹脂からなるフィルム状シート材により密閉袋状形態に形成された内袋１２と外袋１４とで構成されている。そして、内袋１２の外側に、内袋１２を内包するように外袋１４が設けられている。内袋１２および外袋１４はそれぞれ、１枚の矩形状のフィルム状シート材を両側から折り畳んで一対の側辺同士を、間隔を設けて付き合わせ、その側辺間を継ぐように帯状のシート材１６、１８をフィルム状シート材に貼着して、フィルム状シート材と帯状のシート材１６、１８とを筒状に連接し、上・下両端部をそれぞれ熱接着（ヒートシール）して、熱接着部２０ａ、２０ｂ；２２ａ、２２ｂで上・下開口をそれぞれ閉塞することにより、密閉袋状形態に形成されている。帯状のシート材１６、１８は、湿気を通し微生物を通さない紙材、不織布等の素材により形成されており、大気中の微生物が袋内に浸入するのを阻止するフィルタ部２４、２６となっている。
【００１５】
内袋１２には１個所に、端辺から僅かにＶ字形に切り込まれたノッチ２８が形設されている。また、外袋１４には、内袋１２のノッチ２８に対応する個所およびそれ以外の個所に、端辺から僅かにＶ字形に切り込まれたノッチ３０ａ、３０ｂがそれぞれ形設されている。図示例では、２つのノッチ３０ａ、３０ｂが対角的な位置関係でそれぞれ設けられている。なお、ノッチ２８、３０ａ、３０ｂの代わりに、あるいは、ノッチ２８、３０ａ、３０ｂと共に、ノッチ２８、３０ａ、３０ｂによる引き裂き方向と同一方向にミシン目を刻設するようにしてもよい。
【００１６】
この無菌包装袋１０により、内容物、例えば寒天培地３２が収容されたシャーレ３４を包装しようとするときは、内袋１２の端部を熱接着する前に、内袋１２内にシャーレ３４を挿入し、その後に熱接着により内袋１２の開口を閉塞して、内袋１２内にシャーレ３４を封入する。続いて、端部が未接着である外袋１４内に、シャーレ３４が封入された内袋１２を入れ、その後に熱接着により外袋１４の開口を閉塞して、図１および図３に示すように外袋１４内に内袋１２を封入する。この後に、必要に応じて、放射線照射、滅菌ガス等によりシャーレ３４内の寒天培地３２を殺菌処理し、外袋１４内を無菌状態とする。
【００１７】
この無菌包装袋１０により、寒天培地３２が収容されたシャーレ３４を包装したときは、輸送中などに外袋１４にピンホールなどが発生しても、寒天培地３２が収容された内袋１２内の無菌性が保たれる。また、輸送中などに、寒天培地３２から多量の水分が発生するようなことがあっても、内袋１２内の湿気は、内袋１２および外袋１４の各フィルタ部２４、２６を通して外部に放出され、シャーレ３４に水分が多量に付着した状態になる、といったことが防止され、シャーレ３４に収容された寒天培地３２を適度な乾燥状態に保ってユーザに届けることができる。さらに、医薬品メーカなどにおいては、中間のクリーンルーム内で外袋１４を開封して内袋１２を取り出すようにすることにより、寒天培地３２が収容された内袋１２を十分な清浄度を保った状態で保管室に搬入することができる。
【００１８】
この無菌包装袋１０から寒天培地３２が収容されたシャーレ３４を取り出す際に、外袋１４のノッチ３０ａおよび内袋１２のノッチ２８でフィルム状シート材を引き裂くことにより、外袋１４と内袋１２を同時に開封することができる。一方、外袋１４のノッチ３０ｂでフィルム状シート材を引き裂くようにしたときは、内袋１２を開封することなく外袋１４だけを開封することができる。
【００１９】
図５は、この発明の別の実施形態を示し、図３と同様に表した無菌包装袋の断面図である。この無菌包装袋３６は、図１ないし図４に示した上記無菌包装袋１０と外袋３８の構成が異なるだけで、内袋１２の構成は無菌包装袋１０と同じである。すなわち、この無菌包装袋１０の外袋３８にはフィルタ部２４が設けられておらず、外袋３８は、袋面全体がフィルム状シート材により形成されている。そして、矩形状のフィルム状シート材を筒状にし、上・下両端部をそれぞれ熱接着して熱接着部（図示せず）で上・下開口をそれぞれ閉塞するとともに、両側端部を重ね合わせて熱接着し、一側辺部を熱接着部４０で閉塞して、密閉袋状形態に形成されている。
【００２０】
図５に示した無菌包装袋３６では、外袋３８を開封したときに、内袋１２内の湿気がフィルタ部２４を通して外部に放出される。したがって、ユーザ側において、シャーレ３４に入った寒天培地３２を使用する前に、外袋３８だけを開封することにより、寒天培地３２の乾燥状態を調整することができる。
【００２１】
なお、上記した実施形態では、１枚のフィルム状シート材を折り重ね熱接着して密閉袋状形態に形成するようにしたが、袋の形態や製作方法はどのようなものであってもよいし、フィルム状シート材の接着方法も熱接着に限らない。
【図面の簡単な説明】
【００２２】
【図１】この発明の実施形態の１例を示し、内容物を収容して封入した状態の無菌包装袋の平面図である。
【図２】図１に示した無菌包装袋を構成する内袋と外袋とを別々に示す平面図である。
【図３】図１のIII−III矢視断面図である。
【図４】図３の部分拡大断面図である。
【図５】この発明の別の実施形態を示す無菌包装袋の断面図である。
【符号の説明】
【００２３】
１０、３６  無菌包装袋
１２  内袋
１４、３８  外袋
１６、１８  帯状のシート材
２０ａ、２０ｂ、２２ａ、２２ｂ、４０  熱接着部
２４、２６  フィルタ部
２８、３０ａ、３０ｂ  ノッチ
３２  寒天培地
３４  シャーレ
【図１】
2005231697.tif 000003
【図２】
2005231697.tif 000004
【図３】
2005231697.tif 000005
【図４】
2005231697.tif 000006
【図５】
2005231697.tif 000007